(57)【要約】【課題】  本考案は、本血圧計を所要の位置へ導いて、精確な血圧測定を行うことができる、３Ｄ空間の位置決め機能を有する血圧計を提供すること。【解決手段】  本発明は一種の３Ｄ(3-Dimension)位置決め機能を持つ血圧計に関し、チッププロセッサーがそれぞれ圧力センサー、警報器、保存ユニット、３Ｄ加速センサー、表示器、駆動部品及び空気弁に接続され、血圧を測るときに、３Ｄ加速センサーにより血圧計の計測キットが被測定者の血圧を測るときにおける空間を検出して、検出された空間位置関係のパラメータをチッププロセッサーに伝送すると、チッププロセッサーはあらかじめに設定された位置関係のパラメータ値を保存ユニットより引き出して、検出されたパラメータ値との照合を行い、血圧計を所要の位置に導いて精確に血圧測定を行える、３Ｄ空間の位置決め機能を有する血圧計である。【選択図】  図３
0003105315.tif 000002
【実用新案登録請求の範囲】
【請求項１】
一種の３Ｄ（3-Dimension）空間の位置決め機能を有する血圧計であって、
拡大および整圧のためにアンプ及びブリッジセンサーを設け、血圧変化の検出に使用される一つの圧力センサーと、
圧力センサーに接続して、圧力センサーの電流信号をデジタル信号に変換する一つのアナログ／デジタル変換ユニットと、
アナログ／デジタル変換ユニットに接続して、信号の判断及び処理を行う一つのチッププロセッサーと、
チッププロセッサーに接続して、結果表示を行う一つの表示部と、
チッププロセッサーに接続して、関連の設定を入力する一つの入力ユニットと、
チッププロセッサーに接続して、設定データ及び測定結果を保存する一つの保存ユニットと、
チッププロセッサーに接続して、エア注入に使用する一つの駆動部品と、
チッププロセッサーに接続して、エアの解放に使用する一つの空気弁と、
チッププロセッサーに接続して、自体の位置移動により異なる電圧を発生し、該電圧値をデジタルパラメータ値に変換してチッププロセッサーに伝送し、チッププロセッサー処理を通じて被測定者に正確な位置に移動したかを知らせる一つの３Ｄ加速センサー（3-Dimension acceleration sensor）と、
圧力センサー、チッププロセッサー、表示部及び入力ユニットに接続して、必要な電源を供給する電源供給ユニットと、から構成しており、
使用時に、３Ｄ加速センサーより自体の位置を検出させ、検出した空間位置パラメータ値をチッププロセッサーに伝送すると同時に、チッププロセッサーは予め設定していた一連のパラメータ値を保存ユニットより引き出して、検出された空間パラメータ値との照合行い、
検出したパラメータ値があらかじめ設定された一連のパラメータ値からばずれた場合、計測キットの関係位置間の違いを示し、数値が照合した結果に一致したとき、血圧計は正確な位置にあることを示した後、
チッププロセッサーの制御により、圧力センサー、駆動部品、空気弁を設定の通り、血圧測定を行うことを特徴とする、
３Ｄ空間の位置決め機能を有する血圧計。
【請求項２】
請求項１に記載の３Ｄ空間の位置決め機能を有する血圧計において、
前記入力ユニットにスイッチ・セットを設けたことを特徴とする、
３Ｄ空間の位置決め機能を有する血圧計。
【請求項３】
請求項１に記載の３Ｄ空間の位置決め機能を有する血圧計において、
前記表示部に液晶表示モジュールを設けたことを特徴とする、
３Ｄ空間の位置決め機能を有する血圧計。
【請求項４】
請求項１に記載の３Ｄ空間の位置決め機能を有する血圧計において、
前記保存ユニットにメモリを設けたことを特徴とする、
３Ｄ空間の位置決め機能を有する血圧計。
【請求項５】
請求項１に記載の３Ｄ空間の位置決め機能を有する血圧計において、
前記チッププロセッサーは、警告信号の発信または音声通知のため、一つの警報器に接続してあることを特徴とする、
３Ｄ空間の位置決め機能を有する血圧計。
【請求項６】
請求項１に記載の３Ｄ空間の位置決め機能を有する血圧計において、
前記駆動部品にモータを設けたことを特徴とする、
３Ｄ空間の位置決め機能を有する血圧計。
【考案の詳細な説明】
【技術分野】
【０００１】
本考案は、一種の３Ｄ(3-Dimension)位置決め機能を持つ血圧計に関わるものであって、当該血圧計はチッププロセッサーを設け、３Ｄ(3-Dimension)加速センサーにより、血圧計の計測キットが所在する空間位置を検出し、検出された空間位置のパラメータ値をチッププロセッサーに伝送し、照合を通じて、被測定者によって血圧計の計測キットまたは体各部の関係位置・姿勢を正確な空間位置に移動させることを可能とするものである。
【背景技術】
【０００２】
従来の血圧計は、大きく分類すると水銀式と電子式とに別れる。
そのうち、机上型、腕巻き式、トンネル式及び指首式・・・などの種類がある電子式血圧計は、使用前の校正作業が不要であり、しかも表示器に測定結果が表示できるため、被測定者は使用するときに非常に簡単で便利なものである。
【考案の開示】
【考案が解決しようとする課題】
【０００３】
水銀式の血圧計は、計測に時間がかかるほか、専門の訓練を受けた経験者でなければ正確の血圧を計測が行えない、という問題がある。
一方、電子式血圧計は、前記したように簡単で便利でありながら、周知のとおり血圧測定の結果が午前中は低めで昼は高め、というような測定時間の影響を受け、さらに測定時の腕巻きや体各部位の関係位置・姿勢の位置にも関係する。たとえば、腕巻き式の血圧計を一例に挙げると、正確な測定位置は血圧計の計測キットを心臓の高さに持ち上げなければならないが、一般の人は腕巻き式血圧計の計測キットが正確な位置にあるかどうかを知る由もなく、また市販の腕巻き式血圧計には正確な立体空間の位置決め機能がないため、被測定者の経験により上下左右に移動するしかなかった。このため、測定した血圧値が不正確であることがしばしばあった。
【０００４】
本考案は以上の点に鑑みてなされたもので、その目的とするところは、本血圧計に一つのチッププロセッサーを設け、チッププロセッサーはそれぞれ一つの保存ユニット、３Ｄ加速センサー（3-D Dimension acceleration sensor）に接続させ、使用時に３Ｄ加速センサーにより血圧計の計測キットの空間位置を検出して、検出された空間位置のパラメータ値をチッププロセッサーへ電送すると同時に、チッププロセッサーはあらかじめ設定していた一連のパラメータ値範囲を保存ユニットより引き出して、検出された空間位置パラメータ値との照合を行い、検出されたパラメータ値があらかじめ設定していた一連のパラメータ値の範囲に納まらないとき、血圧計計測キットの位置または体各部位の関係位置・姿勢に違いがあることを、チッププロセッサーは警報器により警告メッセージを発信し、被測定者体の各部位の空間位置パラメータ値があらかじめに設定されたパラメータ値範囲に納まるように移動してから、警報器はその警告メッセージの発信を中止することによって、血圧計の計測キットまたは体各部位の関係位置・姿勢を定位置に位置せしめ、精確な血圧測定値を得ることを目的としている。
また、本考案の一つの目的は、制御回路は一つの表示器に接続し、使用するときに、表示器から被測定者の血圧測定結果が表示されることを目的とする。
また、本考案の一つの目的は、３Ｄ加速センサーが、一つの圧電変圧器(Piezo electric Transformer, PZTを称する)、ブリッジセンサー(Bridge Type Sensor)及びこれに合わせるための電子エレメントより構成される半導体チップを設け、そのうち、圧電変圧器上に一つの下振り(Plumb Bob)を設けて、この下振り上に一つのX、Y、Z延伸軸が伸長し、空間位置が変動に従って振れる台座(Seating)を設け、この台座はブリッジセンサーに接続され、台座は被測定者に装着または着けていた計測キットの移動や、さまざまな角度に傾斜しているとき、当該圧電変圧器はこれに対応してそれぞれに電圧を変化させ、ブリッジセンサーによりその信号をチッププロセッサーに伝送し、位置関係のパラメータ値に変換された後、チッププロセッサーはあらかじめに設定していた一連のパラメータ値範囲を保存ユニットより引き出して、検出された空間位置パラメータ値との照合を行い、検出されたパラメータ値があらかじめに設定していた一連のパラメータ値範囲に納まらないとき、血圧計計測キットの位置または体各部位の関係位置・姿勢にに間違いがあることを示し、被測定者体の各部位の空間位置パラメータ値があらかじめに設定されたパラメータ値範囲に納まるように移動することを指示することを目的としている。
本考案は、これらの目的の少なくとも一つを達成するものである。
【課題を解決するための手段】
【０００５】
上記のような課題を解決するために、本発明の３Ｄ空間の位置決め機能を有する血圧計は、一種の３Ｄ（3-Dimension）空間の位置決め機能を有する血圧計であって、拡大および整圧のためにアンプ及びブリッジセンサーを設けた、血圧変化の検出に使用される一つの圧力センサーと、圧力センサーに接続して、圧力センサーの電流信号をデジタル信号に変換する一つのアナログ/デジタル変換ユニットと、アナログ/デジタル変換ユニットに接続して、信号の判断及び処理を行う一つのチッププロセッサーと、チッププロセッサーに接続して、結果表示を行う一つの表示部と、チッププロセッサーに接続して、関連の設定を入力する一つの入力ユニットと、チッププロセッサーに接続して、設定データ及び測定結果を保存する一つの保存ユニットと、チッププロセッサーに接続して、エア注入に使用する一つの駆動部品と、チッププロセッサーに接続して、エアの解放に使用する一つの空気弁と、チッププロセッサーに接続して、自体の位置移動により異なる電圧を発生し、該電圧値をデジタルパラメータ値に変換して、チッププロセッサーに伝送し、チッププロセッサー処理を通じて被測定者に正確な位置に移動したかを知らせる一つの３Ｄ加速センサー(3-Dimension acceleration sensor)と、圧力センサー、チッププロセッサー、表示部及び入力ユニットに接続して、必要な電源を供給する電源供給ユニットと、から構成しており、使用時に、３Ｄ加速センサーより血圧計の位置を検出させ、検出した空間位置パラメータ値をチッププロセッサーに伝送すると同時に、チッププロセッサーは予め設定していた一連のパラメータ値を保存ユニットより引き出して、検出された空間パラメータ値との照合行い、検出したパラメータ値があらかじめ設定された一連のパラメータ値からばずれた場合、計測キットの関係位置間の違いを示し、数値が照合した結果に一致したとき、血圧計は正確な位置にあることを示した後、チッププロセッサーの制御により、圧力センサー、駆動部品、空気弁を設定の通り、血圧測定を行うことを特徴とする。
【０００６】
また、本発明の３Ｄ空間の位置決め機能を有する血圧計は、前記入力ユニットにスイッチ・セットを設けたことを特徴とする。
【０００７】
また、本発明の３Ｄ空間の位置決め機能を有する血圧計は、前記表示部に液晶表示モジュールを設けたことを特徴とする。
【０００８】
また、本発明の３Ｄ空間の位置決め機能を有する血圧計は、前記保存ユニットにメモリを設けたことを特徴とする。
【０００９】
また、本発明の３Ｄ空間の位置決め機能を有する血圧計は、前記チッププロセッサーは、警告信号の発信または音声通知のため、一つの警報器に接続してあることを特徴とする。
【００１０】
また、本発明の３Ｄ空間の位置決め機能を有する血圧計は、前記駆動部品にモータを設けたことを特徴とする。
【考案の効果】
【００１１】
本考案は、従来の装置に比べて精確に計測を行うことができ、便利で、使用面においても機能性が引き上げられている。
【考案を実施するための最良の形態】
【００１２】
本考案は、一種の３Ｄ(3-Dimension)空間の位置決め機能をもつ血圧計に関し、その一例として腕巻き式血圧計を示す。図１、２、３に示す通り、この血圧計上に一つのエアバッグベルト１０を設け、エアバッグベルト１０の両端にはそれぞれに粘着する粘着ベルト１１を設けるほか、エアバッグベルト１０上に一つのケース本体２０を設ける。このケース本体２０には、一つの圧力センサー２１が内蔵されており、圧力差により血圧の変化を検出できる。圧力センサー２１には、一つのアンプ２１１及びブリッジセンサー２３を設け、そのうち、アンプ２１１の入力端は電源供給ユニット２２及び一つの抵抗器２１２に接続する。アンプ２１１の出力端はブリッジセンサー２３に接続し、圧力センサー２１より検出された結果はアンプ２１１により拡大され、ブリッジセンサー２３により電圧を出力させる。
【００１３】
ブリッジセンサー２３は、さらに一つのアナログ/デジタル変換ユニット２４に接続し、当該アナログ/デジタル変換ユニット２４は複数個のアンプ２４１、抵抗器２４２及びコンデンサー２４３より構成される。電子エレメントより構成される回路と一般に使用するアナログ/デジタル変換回路とは、同じであるため、当該構造の詳細は省略する。アナログ/デジタル変換ユニット２４は入力されたアナログ信号をデジタル信号に変換することができる。
【００１４】
さらに、当該アナログ/デジタル変換ユニット24は、一つのチッププロセッサー25に接続し、本実施例で当該チッププロセッサーは一つのマルチタスク・チッププロセッサー(MCU)である。チッププロセッサー２５は電源供給ユニット２２に接続し、当該チッププロセッサー２５はさらに一つの表示部２６、一つの入力ユニット２７、一つの警報器２８及び一つの保存ユニット２９に接続される。表示部２６は液晶表示モジュール(LCD)より構成され、被測定者の血圧測定結果表示に使用される。さらに、入力ユニット２７にスイッチ・セットを設け、当該スイッチ・セット２７は1個以上を並列したスイッチ２７１より構成され、当該スイッチ２７１それぞれに一つの抵抗器２７２と接続する。
【００１５】
なお、警報器２８は警告音声を発信するもので、保存ユニット２９はメモリより構成され、資料保管用とできる。
【００１６】
図１、２、３に示す通り、当該チッププロセッサー２５は、一つの駆動部品３０及び一つの空気弁４０にそれぞれに接続し、当該駆動部品３０及び空気弁４０は一つのトランジスタ３１、４１を介して、チッププロセッサー２５に接続され、駆動部品３０及び空気弁４０はさらにエアバッグベルト１０に接続する。
また、当該駆動部品３０には本実施例においてモータを設ける。エアバッグベルト１０を腕に巻き着けた後、チッププロセッサー２５により駆動部品３０を起動させ、エアをエアバッグベルト１０内部に注入して、エアバッグベルト１０を膨らませ、腕巻き上の血管を必要な圧力に圧迫した後、当該駆動部品３０は作動を中止して、収縮圧(高圧)、解放圧(低)圧の測定を行う。このとき、チッププロセッサー２５は空気弁４０を起動させ、エアバッグベルト１０中のエアを放出し、収縮圧(高圧)、解放圧(低)圧値の検出を行う。
【００１７】
さらに、図２、３、４Ａ、４Ｂ、５Ａに示す通り、当該チッププロセッサー２５はさらに一つの３Ｄ加速センサー５０に接続し、当該３Ｄ加速センサー５０は一つの圧電変圧器５１、ブリッジセンサー５２及びこれに組み合わせる電子エレメントより構成された半導体チップより構成される。圧電変圧器５１上に一つの下振り５１１を設け、当該下振り上に空間位置の変動に従って振る台座５１２を設け、当該台座５１２はさらにブリッジセンサー５２に接続し、台座５１２は被測定者の腕がさまざま角度の移動に従い、当該圧電変圧器５１は異なる電圧変化を発生する。そして、ブリッジセンサー５２を介して当該電圧変化のパラメータ値をチッププロセッサー２５に伝送して、空間位置パラメータ値に変換させる。
当該チッププロセッサー２５はあらかじめに設定していた位置関係のパラメータ値を保存ユニット２９より引き出して、検出したパラメータ値との照合を行い。検出したパラメータ値があらかじめに設定していた一連のパラメータ値範囲をはずれた場合、腕に巻いた計測キット、または体の関連姿勢の空間位置の間違いを判断し、被測定者体の各部位の空間位置パラメータ値があらかじめに設定されたパラメータ値範囲に納まるように移動及び検出した後に、警報器２８はその警告メッセージの発信を中止する。
【００１８】
図２、３、５Ａ、５Ｂ、５Ｃに示す通り、使用するときに、粘着部品１１でもってエアバッグベルト１０を測定者の腕に巻き、電源供給ユニット２２をオンした後、血圧計に巻かれた腕を持ち上げて心臓の位置に移動し、ケース本体２０内の３Ｄ加速センサー５０は腕に従い移動し、検出した値をチッププロセッサー２５に伝送させる。チッププロセッサー２５は、保存ユニット２９であらかじめ保存された標準データと当該値との照合を行う。検出したパラメータ値が設定のパラメータ値をはずれたとき、チッププロセッサー２５は警報器２８に音声警報を被測定者も発信するように指示して、被測定者の腕を移動させる。３Ｄ加速センサー５０は腕の移動に従い、検出されたパラメータ値を連続してチッププロセッサー２５上に伝送し、チッププロセッサー２５に引き続きの照合を行い、検出したパラメータ値があらかじめに保管された一連のパラメータ値に納めたとき、警報器２８の音声を停止させる。またはその他の音声を発信させる。これによって、被測定者に腕が正確位置に移動されたことを知らせる。
【００１９】
さらに、チッププロセッサー25により駆動部品30を起動し、エアをエアバッグベルト10に注入してエアバッグベルト10を膨らませ、腕巻き上の血管を必要な圧力で圧迫した後、当該駆動部品30は作動を中止し、圧力センサー11を駆動して測定を行う。このとき、チッププロセッサー25は空気弁40を起動して、エアバッグベルト10内のエアを解放させ、収縮圧(高圧)、解放圧(低)圧を測定し、測定結果を表示部26に表示するほか、保存ユニット29に保存する。
【００２０】
以上説明した本考案は、上記形態に限定されるものではなく、３Ｄ加速センサー５０の位置決めにより、机上型、腕巻き式、トンネル式及び指首式・・・など各種電子血圧計に応用することができる。
【図面の簡単な説明】
【００２１】
【図１】本考案の立体外観概略図である。
【図２】本考案の一実施例を示す回路ブロック概略図である。
【図３】本考案の一実施例を示す詳細回路の概略図である。
【図４Ａ】本考案の３Ｄ加速センサーに内蔵された圧電変圧器とブリッジセンサーのＸ、Ｙ軸方向の構造概略図である。
【図４Ｂ】本考案の３Ｄ加速センサー中の圧電変圧器とブリッジセンサーのＺ軸方向の構造概略図である。
【図５Ａ】被測定者が腕巻き式血圧計を用いて血圧測定を行っている動作概略図である。
【図５Ｂ】被測定者が腕巻き式血圧計を用いて血圧測定を行っているＸ、Ｙ軸動作の概略図である。
【図５Ｃ】被測定者が腕巻き式血圧計を用いて血圧測定を行っているＺ軸動作の概略図である。
【符号の説明】
【００２２】
１０                      エアバッグベルト
１１                      粘着ベルト
２０                      ケース本体
２１                      圧力センサー
２１１、２４１            アンプ
２１２、２４２、２７２    抵抗器
２２                      電源供給ユニット
２３、５２                ブリッジセンサー
２４                      アナログ/デジタル変換ユニット
２４３                    コンデンサー
２５                      チッププロセッサー
２６                      表示部
２７                      入力ユニット
２８                      警報器
２９                      保存ユニット
３０                      駆動部品
３１、４１                トランジスタ
４０                      空気弁
５０                      ３Ｄ（3-Dimension）加速センサー
５１                      圧電変圧器
５１１                    下振り
５１２                    台座
【図１】
0003105315.tif 000003
【図２】
0003105315.tif 000004
【図３】
0003105315.tif 000005
【図４Ａ】
0003105315.tif 000006
【図４Ｂ】
0003105315.tif 000007
【図５Ａ】
0003105315.tif 000008
【図５Ｂ】
0003105315.tif 000009
【図５Ｃ】
0003105315.tif 000010
【手続補正書】
【提出日】平成16年5月21日(2004.5.21)
【手続補正１】
【補正対象書類名】図面
【補正対象項目名】図２
【補正方法】変更
【補正の内容】
【図２】
0003105315.tif 000011
【手続補正２】
【補正対象書類名】図面
【補正対象項目名】図３
【補正方法】変更
【補正の内容】
【図３】
0003105315.tif 000012